(57)【要約】【課題】  移動体通信の電界強度の測定にかかる費用を低減すると共に、利用者が測定のトリガーを気にすることなく自動的に位置情報とその場所における電界強度情報を収集できるようにする。【解決手段】  移動体通信端末１２１は、ボタン部２１７の操作によって位置の測定が指示された時にＧＰＳモジュール部２１２及び電界強度測定部２１４で測定された位置情報及び電界強度情報をメモリ部２１５に蓄積する。そして、メモリ部２１５蓄積された位置情報及び電界強度情報を所定のタイミングで基地局１１１に送信する。また、位置の測定が指示された時に圏外であった場合には、圏内になってからメモリ部に蓄積された位置情報及び電界強度情報を送信する。【選択図】        図２
2006246032.tif 000002
【特許請求の範囲】
【請求項１】
位置を測定する位置測定手段及び電界強度を測定する電界強度測定手段を有する移動体通信端末と、前記移動体通信端末から送信された位置情報及び電界強度情報を受信する基地局と、前記基地局から送信された位置情報及び電界強度情報を集計する集計手段とを有するシステムにおいて、前記移動体通信端末は、操作部の操作によって位置の測定が指示された時の前記位置測定手段及び電界強度測定手段で測定された位置情報及び電界強度情報をメモリ手段に蓄積する制御手段と、前記メモリ手段に蓄積された位置情報及び電界強度情報を送信する手段とを備えたことを特徴とする移動体通信電界強度測位システム。
【請求項２】
前記制御手段は、前記操作部の操作により位置の測定が指示された時に圏外であった場合には、前記位置測定手段及び電界強度測定手段で測定された位置情報及び電界強度情報を前記メモリ手段に蓄積し、圏内になってから前記メモリ手段に蓄積された位置情報及び電界強度情報を送信することを特徴とする請求項１に記載の移動体通信電界強度測位システム。
【請求項３】
前記制御手段は、移動体通信端末が圏外で発信しようとした場合には、前記位置測定手段で測定された位置情報を前記メモリ手段に蓄積し、圏内になってから前記メモリ手段の位置情報を送信することを特徴とする請求項１に記載の移動体通信電界強度測位システム。
【請求項４】
前記移動体通信端末は、前記基地局から特定の信号を受信した際に位置及び電界強度の測定結果を送信することを特徴とする請求項１に記載の移動体通信電界強度測位システム。
【請求項５】
前記集計手段は、前記基地局から送信された位置情報及び電界強度情報に基づいて地図上に電界強度分布を作成することを特徴とする請求項１に記載の移動体通信電界強度測位システム。
【請求項６】
前記集計手段は、前記基地局から送信された電界強度と位置情報を集計し、電界強度が所定値以下の電界強度が弱い領域を地図上に表記することを特徴とする請求項１に記載の移動体通信電界強度測位システム。
【請求項７】
前記集計手段は、前記基地局から送信された位置情報及び電界強度情報を集計し、移動体通信端末の利用者が所定量以上の多い領域を地図上に表記することを特徴とする請求項１に記載の移動体通信電界強度測位システム。
【請求項８】
前記集計手段は、前記基地局から送信された位置情報及び電界強度情報を集計し、電界強度が所定値以下であって移動体通信端末の利用者が所定量以上の多い領域を地図上に表記することを特徴とする請求項１に記載の移動体通信電界強度測位システム。
【請求項９】
前記集計手段は、基地局毎にそのカバーエリアの利用者を集計することを特徴とする請求項１に記載の移動体通信電界強度測位システム。
【請求項１０】
前記集計手段は、前記圏外で発信しようとした場合の位置情報をカウントすることを特徴とする請求項１又は３に記載の移動体通信電界強度測位システム。
【請求項１１】
操作部と、位置を測定する位置測定手段と、電界強度を測定する電界強度測定手段と、前記位置測定手段及び電界強度測定手段の測定結果を蓄積するメモリ手段と、前記操作部の操作によって位置の測定が指示された時の前記位置測定手段及び電界強度測定手段で測定された位置情報及び電界強度情報を前記メモリ手段に蓄積する制御手段と、前記メモリ手段に蓄積された位置情報及び電界強度情報を送信する手段とを備えたことを特徴とする移動体通信端末。
【請求項１２】
前記制御手段は、前記操作部の操作により位置の測定が指示された時に圏外であった場合には、前記位置測定手段及び電界強度測定手段で測定された位置情報及び電界強度情報を前記メモリ手段に蓄積し、圏内になってから前記メモリ手段に蓄積された位置情報及び電界強度情報を送信することを特徴とする請求項１１に記載の移動体通信端末。
【請求項１３】
前記制御手段は、移動体通信端末が圏外で発信しようとした場合には、前記位置測定手段による位置情報を前記メモリ手段に蓄積し、圏内になってから前記メモリ手段の位置情報を送信することを特徴とする請求項１１に記載の移動体通信端末。
【請求項１４】
前記制御手段は、基地局から特定の信号を受信した際に位置及び電界強度の測定結果を送信することを特徴とする請求項１１に記載の移動体通信端末。
【請求項１５】
前記制御手段は、測定された電界強度が特定の閾値以下の時に電界強度情報及び位置情報を前記メモリ手段に蓄積することを特徴とする請求項１１に記載の移動体通信端末。
【発明の詳細な説明】
【技術分野】
【０００１】
本発明は、移動体通信電界強度測位システム及びそれに用いる移動体通信端末に関するものである。
【背景技術】
【０００２】
従来、この種の移動体通信電界強度測位システムとしては、例えば、特開平６−３５０５１６号公報に記載されたものがある（特許文献１）。同公報のものでは、車両等にＧＰＳを有する電界強度測定機器を搭載して電界強度を測定し、地図上に表示する方法が採られている。
【特許文献１】特開平６−３５０５１６号公報（段落０００７〜００１０）
【発明の開示】
【発明が解決しようとする課題】
【０００３】
第１の問題点は、移動体通信事業者が電界強度を測定する為に必要とする設備費、人件費及び移動費等が高額になるということである。その理由は、電界強度を測定する為の設備を購入し、電界強度測定用の人を雇い、電界強度の測定者が電界強度を測定する場所まで行く必要があるためである。
【０００４】
第２の問題点は、移動体通信事業者が、移動体通信の利用者が移動体通信端末を利用したい場所について把握出来できないことである。その理由は、電界強度測定者が測定をする場合には、電界強度測定者が、移動体通信利用者が移動体通信端末を利用したい場所を推測して測定を行う方法や利用者からの申告によるものであるため、申告のない利用者の立場に立った測定が行えないためである。
【０００５】
第３の問題点は、移動体通信事業者が移動体通信用の基地局を設置する際に、基地局を設置する場所での移動体通信端末の利用を希望する利用者がどの程度いるか、把握が出来ないことである。その理由は、利用者からの電話等の申告により移動体通信端末の利用を希望する場所は特定する事は可能だが、申告をする人は一部の人であり、希望している人がどの程度なのか判断が出来ないためである。
【０００６】
第４の問題点は、利用者が、移動体通信事業者を選ぶ際に、利用者が移動体通信端末の利用を希望する場所における電界強度の状態を把握出来ないことにある。その理由は、移動体通信事業者は基地局のカバーエリアを公開しているが、基地局の設置位置から計算した理想のカバーエリアであるため、移動体通信端末を利用したい場所での電界強度の状態が移動体通信端末を利用するまで判断できないためである。
【０００７】
本発明の目的は、上記移動体通信事業者が電界強度を測定する為の設備費、人件費及び移動費等を低減できる等の問題を解決することが可能な移動体通信電界強度測位システム及び移動体通信端末を提供することにある。
【課題を解決するための手段】
【０００８】
本発明の移動体通信電界強度測位システムは、上記目的を達成するため、位置を測定する位置測定手段及び電界強度を測定する電界強度測定手段を有する移動体通信端末と、前記移動体通信端末から送信された位置情報及び電界強度情報を受信する基地局と、前記基地局から送信された位置情報及び電界強度情報を集計する集計手段とを有するシステムにおいて、前記移動体通信端末は、操作部の操作によって位置の測定が指示された時の前記位置測定手段及び電界強度測定手段で測定された位置情報及び電界強度情報をメモリ手段に蓄積する制御手段と、前記メモリ手段に蓄積された位置情報及び電界強度情報を送信する手段とを備えたことを特徴とする。
【０００９】
また、本発明の移動体通信端末は、操作部と、位置を測定する位置測定手段と、電界強度を測定する電界強度測定手段と、前記位置測定手段及び電界強度測定手段の測定結果を蓄積するメモリ手段と、前記操作部の操作によって位置の測定が指示された時の前記位置測定手段及び電界強度測定手段で測定された位置情報及び電界強度情報を前記メモリ手段に蓄積する制御手段と、前記メモリ手段に蓄積された位置情報及び電界強度情報を送信する手段とを備えたことを特徴とする。
【発明の効果】
【００１０】
第１の効果は、移動体通信事業者が電界強度を測定する為の設備費、人件費及び移動費等を低減できることである。その理由は、移動体通信を利用している利用者の移動体通信端末を用いて電界強度を測定するため測定機器、人材及び測定地までの移動費が不要になるためである。
【００１１】
第２の効果は、移動体通信事業者が移動体通信の利用者が移動体通信端末を利用したい場所について把握出来る事にある。その理由は、移動体通信の利用者が移動体通信端末を利用したい場所の情報をセンタにて確認できるためである。
【００１２】
第３の効果は、移動体通信事業者が移動体通信の基地局を設置する際に、新たに基地局を設置する場所で移動体通信の利用を希望する利用者がどの程度いるか把握出来ることにある。その理由は、移動体通信の利用者が移動体通信端末を利用したい場所の情報をセンタにて集計するためである。
【００１３】
第４の効果は、利用者が移動体通信事業者を選ぶ際に、移動体通信の利用者が移動体通信端末の利用を希望する場所の電界強度の状態を把握出来ることである。その理由は、移動体通信端末の購入を希望している利用者が、移動体通信端末の購入前に移動体通信端末を利用したい場所の電界強度について把握できるためである。
【００１４】
第５の効果は、利用者が位置を測定する時に位置と電界強度を測定することにより、利用者が測定のトリガーを気にすることなく、自動的に位置情報と電界強度情報を収集することができ、更に、位置測定を行った時に圏外であった場合には、圏内になってから位置情報と電界強度情報を送信することにより、圏外における情報も収集することができることである。
【００１５】
また、利用者が圏外で発信しようとした時に位置測定を行い、圏内になってから送信することにより、圏外で使用したいと思った人をカウントすることができ、圏外における移動通信端末の利用希望状況が分かる。また、基地局から特定信号を送信し、この特定信号を受信した移動体通信端末が位置と電界強度を測定するようにすれば、特定地域の情報を収集することが可能となる。
【発明を実施するための最良の形態】
【００１６】
次に、発明を実施するための最良の形態について図面を参照して詳細に説明する。図１は本発明に係る移動体通信電界強度通信システムの一実施形態を示すブロック図である。
【００１７】
図１において、１２１は電界強度と位置情報を測定してメモリ部に蓄積し、特定のタイミングで蓄積した電界強度と位置情報を送出する移動体通信端末である。移動体通信端末１２１は、ＧＰＳシステムによる位置測定機能及び電界強度測定機能を有する携帯電話機等である。電界強度測定機能は一般の携帯電話機が持っているのでその機能をそのまま利用してもよいし、精度を重視する場合には新たに測定精度の高い電界強度測定器を設けても良い。
【００１８】
１１１は移動体通信端末１２１より電界強度情報と位置情報を受信する基地局、１０１は基地局１１１より移動体通信端末１２１からの電界強度情報と位置情報を受信するセンタである。基地局１１１は、携帯電話機等の移動体通信端末１２１から上述のような電界強度情報と位置情報を受信する機能、及びやそれらの情報をセンタ１０１に送信する機能を持つ。センタ１０１はプログラム制御によって基地局１１１から受信した位置情報と電界強度情報を集計する機能、地図上に電界強度分布を作成する機能等を有するセンタサーバである。
【００１９】
図２は移動体通信端末１２１の構成例を示すブロック図である。図中２１６は各種データを表示するための表示部であり、利用者が移動体通信端末１２１が圏内か圏外かを確認するための表示等を行う。２１７は利用者が操作するボタン部、２１２はＧＰＳ衛星からの信号を受信して位置を計算するＧＰＳモジュール部である。
【００２０】
２１４は電界強度を測定する電計強度測定部、２１３はＧＰＳモジュール部２１２と電界強度測定部２１４からの位置情報と電界強度情報を蓄積するタイミングを決める蓄積タイミング監視部、２１５は蓄積タイミング監視部２１３より出力されるタイミングによりＧＰＳモジュール部２１２と電界強度測定部２１４からの位置情報と電界強度情報を記憶するメモリ部である。電界強度測定部２１４としては、上述のように移動体通信端末が持っている既存の測定手段を用いてもよいし、測定精度の高い電界強度測定器を設けても良い。
【００２１】
２１８はメモリ部２１５からの位置情報と電界強度情報を特定のタイミングでセンタ１０１に送信するアンテナ部である。２１１は表示部２１６、ボタン部２１７、ＧＰＳモジュール部２１２、電計強度測定部２１４、蓄積タイミング監視部２１３、メモリ部２１５及びアンテナ部２１８等の端末各部を制御する制御部である。
【００２２】
次に、本実施形態の動作について説明する。まず、図２の移動体通信端末１２１の動作を説明する。通常、移動体通信端末１２１を使用する際には、利用者は移動体通信端末１２１が圏内か圏外かを確認する為に表示部２１６を確認する。この時、表示部２１６の表示が消えていれば表示部２１６を表示する為にボタン部２１７を操作する。又は利用者が任意にボタン部２１７を操作してもよい。この時、移動体通信端末１２１は圏内にあったとする。
【００２３】
次いで、現在位置の確認を行う場合には、利用者はボタン部２１７の操作によって位置確認を行う。その際、蓄積タイミング監視部２１３はボタン部２１７からの位置測定指示を受信すると、制御部２１１に対し蓄積タイミング信号を送信する。制御部２１１はその蓄積タイミング監視部２１３からの信号によりＧＰＳモジュール部２１２から位置情報を読み出し、メモリ部２１５に蓄積する。この位置情報は、ＧＰＳモジュール２１２によりＧＰＳ衛生からの受信情報に基づいて緯度、経度の解析を行った位置情報である。
【００２４】
ＧＰＳ位置情報としては、緯度経度等の位置情報に変換したもの（ＧＰＳモジュール部２１２で緯度経度等の位置情報に変換したもの）、或いはＧＰＳモジュール２１２で受信したＧＰＳ衛星からの情報そのものでも良い。このＧＰＳ衛星からの情報そのものを利用する場合には、移動体通信端末１２１は位置解析を行う必要はなく、センタ１０１側に位置解析機能を持たせれば良い。
【００２５】
また、制御部２１１は位置情報を測定する際には、電界強度測定部２１４で測定された電界強度情報を読み出し、メモリ部２１５に蓄積する。制御部２１１はメモリ部２１５に蓄積された位置情報及びその位置における電界強度情報を所定のタイミング信号でアンテナ部２１８を経由して送信する。基地局１１１は送信された位置情報と電界強度情報とを受信し、センタ１０１に送信する。
【００２６】
一方、利用者が位置測定を行う際に、その移動体通信端末１２１が圏外にいた場合には、制御部２１１は同様に位置情報と電界強度情報をＧＰＳモジュール２１２と電界強度測定部２１４から読み出し、測定結果をメモリ部２１５に蓄積しておく。その際、複数の圏外の位置で測定した場合には、順次メモリ部２１５に位置情報とその場所における電界強度情報を蓄積しておく。
【００２７】
制御部２１１は圏内か圏外かを監視しており、圏内になった場合には、メモリ部２１５に蓄積した位置情報と電界強度情報を読み出し、アンテナ部２１８経由で送信する。基地局１１１は送信された位置情報と電界強度情報を受信し、センタ１０１に送信する。このように移動体通信端末１２１が圏外にいた時にも位置と電界強度を測定することで、圏外の情報も収集することが可能となる。
【００２８】
また、利用者が圏外で発信しようとした場合には、制御部２１１はＧＰＳモジュール部２１２と電界強度測定部２１４から位置情報と電界強度情報を読み出し、測定結果をメモリ部２１５に蓄積しておく。制御部２１１は圏内になってからメモリ部２１５に蓄積した位置情報と電界強度情報を送信する。基地局１１１は送信された位置情報と電界強度情報を受信し、センタ１０１に送信する。この場合、センタ１０１は送信された情報をカウントする。その結果により、圏外で移動体通信端末１２１を使用したいと思った人の数が分かる。
【００２９】
なお、この場合には、電界強度は測定しなくてもよく、位置のみを測定送信しても良い。また、移動体通信端末１２１から情報を送信する際、圏外で発信しようとした場合の情報であることを示す識別情報を付加し、センタ１０１側でその識別情報によって分類してカウントするのが良い。
【００３０】
ここで、メモリ部２１５の記憶容量を少なくする為、電界強度値が特定の設定値より小さい場合にだけメモリ部２１５に電界強度値及び位置情報を書き込んでも良い。また、移動体通信端末１２１が電界強度値及び位置情報を送信するタイミングとしては、測定後にすぐに送信する方法（但し圏内の場合）、移動体通信端末１２１が送信するタイミングを判断して送信する方法、基地局１１１よりの指示により送信する方法、センタ１０１の指示により送信する方法、又は移動体通信端末１２１の利用者が任意に送信する方法等様々な方法がある。
【００３１】
また、位置や電界強度を測定する場合には、上述のように利用者が位置を測定する時に測定することで、利用者は測定のトリガーを気にすることなく、自動的に位置情報とその場所における電界強度を測定することが可能となる。また、センタ１０１の制御に基づいて基地局１１１から特定の信号を送信し、その信号を受信した移動体通信端末が位置と電界強度を測定し、基地局１１１に送信しても良い。こうすることで、特定の地域の情報を収集することが可能となる。
【００３２】
次に、上述のように基地局１１１から電界強度値及び位置情報を送信すると、センタ１０１は送信された電界強度値及び位置情報を受信する毎に図示しない記憶手段に順次蓄積し、複数の移動体通信端末１２１からの電界強度値及び位置情報を蓄積していく。センタ１０１は記憶手段に蓄積された位置情報と電界強度値を集計し、地図上に電計強度分布を作成する等の処理を行う。地図データは図示しない地図データベースに持っているものとする。また、センタ１０１は上述のように圏外で発信しようとした時に測定された位置情報をカウントすることにより、圏外における移動体通信端末の利用希望状況が分かる。
【００３３】
なお、センタ１０１が電界強度を地図上に表記する代わりに、電界強度が予め設定された強度以下の電界強度が弱い場所を地図上に表記しても良いし、移動体通信端末１２１の利用者が所定値以上の多い場所を地図上に表記しても良い。また、電界強度が所定値以下の電界強度が弱く、移動体通信端末１２１の利用者が所定値以上の多い場所を地図上に表記することも可能である。更に、基地局毎にそのカバーエリアの利用者の数を集計することも可能である。
【００３４】
本実施形態では、利用者がＧＰＳによる位置を測定する時に位置と電界強度を測定することにより、利用者が測定のトリガーを気にすることなく、自動的に位置情報と電界強度情報を収集することができる。また、ＧＰＳ測定を行った時に圏外であった場合には、圏内になってから位置情報と電界強度情報を送信することにより、圏外における情報も収集することができる。
【００３５】
更に、利用者が圏外で発信しようとした時にＧＰＳ測定を行い、圏内になってから送信することにより、圏外で使用したいと思った人をカウントすることができ、圏外における移動通信端末の利用希望状況が分かる。また、基地局から特定信号を送信し、この特定信号を受信した移動体通信端末が位置と電界強度を測定するようにすれば、特定地域の情報を収集することが可能となる。
【産業上の利用可能性】
【００３６】
本発明は、移動体通信端末の基地局設置の計画を立てる場合の情報として活用できる。これは、移動体通信のサービス圏外の場所において移動体通信端末を利用している人がどの程度いるか把握できるため、効率よく基地局の設置が出来るためである。
【００３７】
また、本発明は、移動体通信端末の購入を希望している人が移動体通信端末事業者を選ぶ際に活用できる。これは、移動体通信端末の購入を希望している人が移動体通信端末事業者を選ぶ際に、移動体通信端末を購入する前に移動体通信端末を利用したい場所における電界強度を判断出来るためである。
【図面の簡単な説明】
【００３８】
【図１】本発明に係るシステムの一実施形態を示すブロック図である。
【図２】図１の移動体通信端末の一例を示すブロック図である。
【符号の説明】
【００３９】
１０１  センタ
１１１  基地局
１２１  移動体通信端末
２１１  制御部
２１２  ＧＰＳモジュール部
２１３  蓄積タイミング監視部
２１４  電界強度測定部
２１５  メモリ部
２１６  表示部
２１７  ボタン部
２１８  アンテナ部
【図１】
2006246032.tif 000003
【図２】
2006246032.tif 000004